(57)【要約】【課題】酸素マイナスイオンを放出可能な空気浄化装置部と、空気中の水分から上質、清潔、無菌、無害、酸性・アルカリ性・中性の三種類が揃った飲用水を抽出する飲用水の水製造装置部とを備える大気飲料水転換システム装置を提供する。【解決手段】大気飲料水転換システム装置は、空気浄化装置部１と、水製造装置部２とを備える。空気浄化装置部１はフィルタユニットを備える。フィルタユニットはフィルタネット１２と、繊維布層１３と、活性炭ネット層１４と、駆動モータ１５、孔付きプレート１６と、インペラ１７と、排気口１８と、紫外線殺菌ランプ１９と、操作パネル１１０とを備える。水製造装置部は、操作パネル２２５、温度コントローラ２２、通気ネット２３、凝縮蒸発器２４、集水トレイ２５、集水タンク２６、集水タンク水位コントローラ２７、加圧ポンプ２８、ろ過システム２９、逆浸透浄化システム２１０、ナノ紫外線殺菌消毒器２１１、定温浄水タンク２１２、電解タンク２１３、飲用酸性水バルブ２１４、飲用アルカリ性水バルブ２１５、飲用中性水バルブ２１６、吸気ファン２１７、コンプレッサ２２０、排気プレート２２３、酸素マイナスイオン発生器２２６、水道水又は非飲用水源入口２２７が設けられている。【選択図】図８
2018528860.tif 000002
【特許請求の範囲】
【請求項１】
空気浄化装置部（１）と、水製造装置部（２）とを備える大気飲料水転換システム装置であって、
前記空気浄化装置部（１）は筐体（１１）と、筐体内に設けられたフィルタユニットとを備えており、前記フィルタユニットはフィルタネット（１２）と、繊維布層（１３）と、活性炭ネット層（１４）と、駆動モータ（１５）と、孔付きプレート（１６）と、インペラ（１７）と、排気口（１８）と、紫外線殺菌ランプ（１９）と、操作パネル（１１０）とを備え、前記筐体（１１）内の下部の左右両側には筐体孔が設けられており、前記筐体（１１）内にて且つ筐体孔の前部にはフィルタネット（１２）が設けられており、前記フィルタネット（１２）の上端には繊維布層（１３）が設けられ、前記繊維布層（１３）の上方には活性炭ネット層（１４）が間隔を空けて設けられ、前記フィルタネット（１２）、繊維布層（１３）、活性炭ネット層（１４）は互いに平行に設けられるとともに筐体（１１）の内壁に固接されており、前記活性炭ネット層（１４）の上方には孔付きプレート（１６）が設けられており、前記孔付きプレート（１６）は筐体（１１）の内壁に固接されており、前記孔付きプレート（１６）上にはインペラ（１７）を駆動数ルための駆動モータ（１５）が固定して取付けられており、前記駆動モータ（１５）の出力軸はインペラ（１７）に連結されており、前記筐体（１１）の上端には排気プレート（）１８）が設けられており、前記排気プレート（１８）と孔付きプレート（１６）との間の筐体（１１）の内壁上には紫外線殺菌ランプ（１９）が設けられており、前記筐体（１１）の段差箇所の外側壁上には操作パネル（１１０）が設けられており、
（１）前記水製造装置部（２）は筐体（２１）を備えており、筐体には操作パネル（２２５）、温度コントローラ（２２）、通気ネット（２３）、凝縮蒸発器（２４）、集水トレイ（２５）、集水タンク（２６）、集水タンク水位コントローラ（２７）、加圧ポンプ（２８）、ろ過システム（２９）、逆浸透浄化システム（２１０）、ナノ紫外線殺菌消毒器（２１１）、定温浄水タンク（２１２）、電解タンク（２１３）、飲用酸性水バルブ（２１４）、飲用アルカリ性水バルブ（２１５）、飲用中性水バルブ（２１６）、吸気ファン（２１７）、コンプレッサ（２２０）、排気プレート（２２３）、酸素マイナスイオン発生器（２２６）、水道水又は非飲用水源入口（２２７）が設けられており、
前記空気浄化装置部（１）は水製造装置部（２）にパイプ（００）を通じて接続されており、前記パイプ（００）は前記排気プレート（１８）と通気ネット（２３）との間に接続されており、
（２）前記大気飲料水転換システム装置の動作原理は、駆動モータ（１５）がインペラ（１７）の回転を制御することで、空気が筐体孔から筐体（１１）内部に取り込まれて、つまりフィルタネット（１２）、繊維布層（１３）、活性炭ネット層（１４）の順で空気を処理して、処理後の空気は孔付きプレート（１６）を通過して更に紫外線殺菌ランプ（１９）によって殺菌されて、排気プレート（１８）から浄化後の空気はパイプ（００）を経て通気ネット（２３）に排出されるというものであり、
（３）湿度コントローラ（２２）、吸気ファン（２１７）、凝縮蒸発器（２４）、コンプレッサ（２２０）からなる空気水分抽出システムが動作し始めて、凝縮蒸発器（２４）は空気の温度を露点の温度にまで下げて、露点の温度における空気の水分は水滴として凝結し抽出され、水滴は凝縮蒸発器から集水トレイ（２５）に自然滴下する、
（４）集水トレイ（２５）では水を集水タンク（２６）に集めて、集水タンク（２６）では水位コントローラ（２７）によって集水タンクに接続されている加圧ポンプ（２８）が水を加圧するように制御すると、水はろ過システム（２９）、逆浸透浄化システム（２１０）、ナノ紫外線殺菌消毒器（２１１）を経て、再度純化された後に定温浄水タンク（２１２）に貯留される、
（５）純水タンク内蔵水位インジケータ及び底部には飲用中性水バルブ（２１６）及び電解タンク（２１３）がそれぞれ接続されることで、使用者は、中性水を吐出させるか、又は電解タンク（２１３）を通じて、飲用酸性水バルブ（２１４）、飲用アルカリ性水バルブ（２１５）から酸性水又はアルカリ性水を吐出させるかを選択する、水製造装置部（２）の湿度コントローラ（２２）、吸気ファン（２１７）、凝縮蒸発器（２４）、コンプレッサ（２２０）からなる空気水分抽出システムを経た浄化及び除湿された空気は、凝縮蒸発器（２４）により酸素マイナスイオン発生器（２２６）を経た後に排気プレート（２２３）から排出される、ことを特徴とする大気飲料水転換システム装置。
【請求項２】
前記装置は水道水又は飲用基準に満たない水源（２２７）を更に備えており、湿度コントローラ（２２）が湿度が３８％未満であることを検出すると、水道水又は飲用基準に満たない水源（２２７）から大気飲料水転換システム装置中の加圧ポンプ（２８）を通じて、ろ過システム（２９）、逆浸透浄化システム（２１０）及びナノ紫外線殺菌消毒器（２１１）に接続される、ことを特徴とする請求項１に記載の大気飲料水転換システム装置。
【請求項３】
前記酸素マイナスイオン発生器（２６）は筐体（３０）、該筐体内面に固着されてナノ二酸化チタンを被覆するニッケルフォームネット第１の電極（３４）、ガーゼ絶縁層（３５）、ステンレスネット第２の電極（３６）、電圧変換回路（３２からなり、前記第１の電極（３４）、ガーゼ絶縁層（３５）及び第２の電極（）３６）は密着して取付けられて、静電容量特性を有するユニット（３７）を構成しており、前記ユニット（３７）と筐体（３０）との取付固定される接触面は密接していることで、空気漏れを防止し、筐体（３０）には空気入口（３１）と空気出口（３３）とが設けられており、空気は空気入口（３１）から流入して、第１の電極（３４）、ガーゼ絶縁層（３５）、第２の電極（３６）の順に流れて、空気出口（３３）から流出し、前記酸素マイナスイオン発生器は１２Ｖの充電式バッテリ（図示せず）により給電され、前記酸素マイナスイオン発生器の動作原理とは、空気が空気入口（３１）から酸素マイナスイオン発生器の内部に取り込まれると、このうちの酸素と前記第１の電極（３４）とが接触したときに酸化還元反応が生じて、酸素マイナスイオンが発生し、酸素マイナスイオンは気流に付随して空気出口（３３）から流出する、というものである、ことを特徴とする請求項１又は２に記載の大気飲料水転換システム装置。
【発明の詳細な説明】
【技術分野】
【０００１】
本発明は大気飲料水転換システム装置に関し、具体的には空気浄化装置及び水製造装置に関し、更に具体的には酸素マイナスイオンを放出可能な空気浄化装置部及び、空気中の水分から上質、清潔、無菌、無害、酸性・アルカリ性・中性の三種類が揃った飲用水を抽出する飲用水の水製造装置部に関する。
【背景技術】
【０００２】
現在、人々にとっては、主に河川、湖水及び浅層地下水由来の淡水資源は利用しやすいが、淡水資源を大量に使用すると不足するのみならず、加えて深刻な汚染を招き、しかも地域格差が大きく、つまり電気及びエネルギーのいずれも充足した地域では、清潔な水資源はかなり不足する可能性があることから、水資源は貴重な資源になりつつあり、そして水資源の問題は、国家経済、社会の持続的な発展及び長期的で安定的な重大な戦略に関係してくる。
【発明の概要】
【発明が解決しようとする課題】
【０００３】
清潔な水が得にくく、水源に乏しい辺鄙な地域では、飲用水を提供する給水用の長距離の給水管を敷設しにくい、又は輸送コスト度外視の運搬手段にて飲用水を届けねばならず、これらの方法では水のコストが非常に高くなってしまい、庶民にとっては、受入れがたく、生活に必要な飲用水を享受できるというものではなく、これはコストが非常に嵩む以外に、長距離での送水又は運搬にて、水質の変化又は汚染を招き、最終的には人が直接飲用することができなくなってしまう恐れがある。
【０００４】
また、人々の飲用水への需給量は必ずしも大きくはないが（異なる地域、異なる気候及び異なる環境需給量によって異なる）、その衛生、清潔、無菌、無害の要求は高く基本的な要求は一致している。そこでエネルギー及び電力がある地域にて、合理的なコストで如何にして洗浄飲用水（中国では甘露水と呼ばれる）を製造することで、大気（空気）から抽出して飲用水を製造するということは、国家発展での早急に解決しなければならない問題となっている。
【０００５】
大気飲料水転換システム装置は、家庭用の小用量及び工業用の大用量の水源及び空気転換システムとすることができる。そして空気中の過分な水分及び大気汚染成分を除去して、空気を浄化して、室内空気の湿度を調整しつつ、他方では空気通の過分な水分を飲用可能な健全な水に転換し、そして水道水又はその他非飲用水を飲用可能な健全な水に転換し、室内の空気及び水使用を同時に改善するものであって、水質又は空気品質への要求が高い家庭（子供又は高齢者等）に適する。
【課題を解決するための手段】
【０００６】
本発明の目的は、酸素マイナスイオンを放出可能な空気浄化装置部と、空気中の水分から上質、清潔、無菌、無害、酸性・アルカリ性・中性の三種類が揃った飲用水を抽出する飲用水の水製造装置部とを備える大気飲料水転換システム装置を提供するところにある。空気浄化装置は、空気の湿度に応じて除湿機能を起動するか否かを調節して、酸素マイナスイオンを豊富に含む新鮮な空気を製造するものであって、水製造装置は空気中の水分の多寡に応じて水量を調節するものであって、湿度の高い海洋及び内陸気候の地域では、水製造量は多くなる。汚染された、又は水質的に飲用することができない一部地域では、一次ろ過及び二次ろ過を通じて、殺菌及び消毒システムが、直接飲用水として浄化するものであって、浄化水量は家庭用の水から業務・工業用の飲用水まで対応できる。
【０００７】
上記目標を実現するために、本発明は以下の技術手法を採用する。
【０００８】
大気飲料水転換システム装置は、空気浄化装置部１と、水製造装置部２とを備える。
【０００９】
前記空気浄化装置部１は筐体１１と、筐体内に設けられたフィルタユニットとを備えており、前記フィルタユニットはフィルタネット１２と、繊維布層１３と、活性炭ネット層１４と、駆動モータ１５と、孔付きプレート１６と、インペラ１７と、排気口１８と、紫外線殺菌ランプ１９と、操作パネル１１０とを備える。前記筐体１１内の下部の左右両側には筐体孔が設けられており、前記筐体１１内にて且つ筐体孔の前部にはフィルタネット１２が設けられており、前記フィルタネット１２の上端には繊維布層１３が設けられ、前記繊維布層１３の上方には活性炭ネット層１４が間隔を空けて設けられ、前記フィルタネット１２、繊維布層１３、活性炭ネット層１４は互いに平行に設けられるとともに筐体１１の内壁に固接されており、前記活性炭ネット層１４の上方には孔付きプレート１６が設けられており、前記孔付きプレート１６は筐体１１の内壁に固接されており、前記孔付きプレート１６上にはインペラ１７を駆動数ルための駆動モータ１５が固定して取付けられており、前記駆動モータ１５の出力軸はインペラ１７に連結されており、前記筐体１１の上端には排気プレート１８が設けられており、前記排気プレート１８と孔付きプレート１６との間の筐体１１の内壁上には紫外線殺菌ランプ１９が設けられており、前記筐体１１の段差箇所の外側壁上には操作パネル１１０が設けられている。
【００１０】
前記水製造装置部２は筐体２１を備えており、筐体には操作パネル２２５、温度コントローラ２２、通気ネット２３、凝縮蒸発器２４、集水トレイ２５、集水タンク２６、集水タンク水位コントローラ２７、加圧ポンプ２８、ろ過システム２９、逆浸透浄化システム２１０、ナノ紫外線殺菌消毒器２１１、定温浄水タンク２１２、電解タンク２１３、飲用酸性水バルブ２１４、飲用アルカリ性水バルブ２１５、飲用中性水バルブ２１６、吸気ファン２１７、コンプレッサ２２０、排気プレート２２３、酸素マイナスイオン発生器２２６、水道水又は非飲用水源入口２２７が設けられている。
【００１１】
前記空気浄化装置部１は水製造装置部２にパイプ００を通じて接続されており、前記パイプ００は前記排気プレート１８と通気ネット２３との間に接続されている。
【００１２】
前記大気飲料水転換システム装置の動作原理は以下の通りである。駆動モータ１５がインペラ１７の回転を制御することで、空気が筐体孔から筐体１１内部に取り込まれて、つまりフィルタネット１２、繊維布層１３、活性炭ネット層１４の順で空気を処理して、処理後の空気は孔付きプレート１６を通過して更に紫外線殺菌ランプ１９によって殺菌されて、排気プレート１８から浄化後の空気はパイプ００を経て通気ネット２３に排出され、湿度コントローラ２２、吸気ファン２１７、凝縮蒸発器２４、コンプレッサ２２０からなる空気水分抽出システムにて、凝縮蒸発器２４により空気の温度を露点の温度にまで下げる。露点の温度における空気の水分は水滴として凝結し抽出され、水滴は凝縮蒸発器から集水トレイ２５に自然滴下して、集水トレイ２５では水を集水タンク２６に集める。集水タンク２６では水位コントローラ２７によって集水タンクに接続されている加圧ポンプ２８が水を加圧するように制御すると、水はろ過システム２９に達して一般的な微小な不純物が取り除かれる。更に逆浸透浄化システム２１０を通じて、吸着、限外ろ過、超純化を経て水中に溶解している大部分の無機塩（重金属を含む）、有機物、細菌及びウイルスを隔離して、水質を超純水に直接転換する。超純水は更にナノ紫外線殺菌消毒器２１１に送られて、再度純化された後に純水タンクに貯留される。純水タンク内蔵水位インジケータ及び底部には飲用中性水バルブ１６及び電解タンク２１３がそれぞれ接続されることで、使用者は、中性水を吐出させるか、又は電解タンク２１３を通じて、飲用酸性水バルブ２１４、飲用アルカリ性水バルブ２１５から酸性水又はアルカリ性水を吐出させるかを選択する。水製造装置部２の湿度コントローラ２２、吸気ファン２１７、凝縮蒸発器２４、コンプレッサ２２０からなる空気水分抽出システムを経た浄化及び除湿された空気は、凝縮蒸発器２４により酸素マイナスイオン発生器２２６を経た後に排気プレート２２３から排出される。
【００１３】
湿度コントローラ２２により、前記空気浄化装置部１の排気プレート１８から排出された予備的処理された空気の湿度が空気中の水分を抽出するのに十分であるか否かを制御し、もし湿度が低すぎ、３８％未満であれば、吸気ファン２１７、凝縮蒸発器２４、コンプレッサ２２０からなる空気水分抽出システムが水分抽出機能を停止して、空気温度調節する機能のみを使用する。一方、水道水又は飲用基準に満たない水源２２７から大気飲料水転換システム装置中の加圧ポンプ２８を通じて、ろ過システム２９、逆浸透浄化システム２１０及びナノ紫外線殺菌消毒器２１１に接続される。前記大気飲料水転換システム装置の空気浄化装置部１は室外に接続されており、室外から取り込んだ空気を処理して、浄化済みで酸素マイナスイオンが増加されている上質の空気を水製造装置部２を通じて室内に排出する。
【００１４】
水道水又は飲用基準に満たない水源２２７は外付けのプライマリフィルタにより処理されるが、例えば水源が劣悪な場合には炭素粒子フィルタ及び活性炭フィルタを増設して、水中の不純物をろ過して、更に大気飲料水転換システム装置の水製造機の加圧ポンプ２８に送る必要がある。
【発明の効果】
【００１５】
本大気飲料水転換システム装置は、空気浄化装置部１を通じて空気中の埃、煙灰、粉じん、綿ぼこり、動物の毛、ダニ、花粉、菌胞子及び菌を帯びた微粒子等をろ過して、水製造装置部２を通じて空気湿度を制御して、酸素マイナスイオンを増加して、室内に清潔な空気を排出するとともに、同時に空気湿度を調節する機能をもたらす。そして水製造装置部２では上質、清潔、無菌、無害、酸性・アルカリ性・中性の三種類が揃った飲用水を製造することができ、本大気飲料水転換システム装置では空気調和、空気洗浄器、精製水機及び酸性・アルカリ性水機の機能を一台に集約した、更に優れた装置となっている。
【００１６】
上記は単に本発明の好ましい実施例に過ぎず、しかも本発明に何らかの制限を加えるものではないため、凡そ本発明の実体的な技術に基づいて上記実施例に何らかの簡単な修正、変更及び等価の構造的変化を行ったものは、本発明の技術思想の範囲内に含まれるものである。
【図面の簡単な説明】
【００１７】
【図１】大気飲料水転換システム装置の模式図である。
【図２】空気浄化装置部の模式図である。
【図３−１】水製造装置部の正面模式図である。
【図３−２】水製造装置部の内部構造模式図である。
【図３−３】水製造装置部の裏面模式図で。
【図４】凝縮蒸発器２４の動作原理図である。
【図５】逆浸透浄化システム２１０の動作手順及び原理図である。
【図６】ナノ紫外線殺菌消毒器２１１の動作原理図である。
【図７】酸素マイナスイオン発生器２６の動作原理の模式図である。
【図８】大気飲料水転換システム装置の動作フローチャートである。
【発明を実施するための形態】
【００１８】
１は空気浄化装置部１であり、２は水製造装置部であり、前記空気浄化装置部１と水製造装置部２とはパイプ００を通じて接続されている。
【００１９】
逆浸透浄化システムの主な動作の原理は逆浸透膜技術を用いている。逆浸透膜の動作原理とは、水に一定の圧力を付与し、水分子とイオン状態のミネラル元素とを逆浸透膜を通過させる一方で、水中に溶解している大部分の無機塩（重金属を含む）、有機物及び細菌、ウイルス等は逆浸透膜を通過することはできないため、透過後の精製水と透過しなかった濃縮水とは厳密に分離される。
【００２０】
逆浸透膜上の孔径は０．０００１μｍしかないが、ウイルスの直径は一般的に０．０２〜０．４μｍであり、普通の細菌の直径は０.４〜１μｍであることから、純水機から提供される洗浄水は大いに安心して飲むことができる。
【００２１】
ナノ紫外線殺菌消毒器のバレルはステンレス製であり、内壁は紫外線反射能力を高めて放射強度を増強するために研磨処理が施されており、更に処理水量の多寡に応じて紫外線ランプの個数を調整することができる。ある種の消毒器ではバレル内壁に螺旋状羽根を追加することで水流の流動状態を変更することで、水が淀み、配管が詰まる不具合を回避しても良く、発生した乱流及び羽根の鋭利なエッジにより、懸濁している固体を粉砕し、付着していた微生物を完全に紫外線の輻射中に曝して、消毒効率を高めている。
【００２２】
ナノ紫外線殺菌消毒器の消毒原理において、紫外線での殺菌は主に、２５４ｎｍ波長の紫外線光を利用している。この波長の紫外線光は、微量の紫外線照射量であっても、細胞の核、つまりＤＮＡを破壊することができるので、細胞の再生を阻止し、再生能力を失わせて細菌を無害化することで、殺菌の効果を達成することができる。その他全ての紫外線応用技術と同じように、このようなシステムの規模は紫外線の強度（照射器の強度及び電力）及び接触時間（水、液体、又は空気が紫外線に曝されている時間の長短）に左右される。
【００２３】
酸素マイナスイオン発生器２６は筐体３０、該筐体内面に固着されてナノ二酸化チタンを被覆するニッケルフォームネット第１の電極３４、ガーゼ絶縁層３５、ステンレスネット第２の電極３６、電圧変換回路３２からなる。前記第１の電極３４、ガーゼ絶縁層３５及び第２の電極３６は密着して取付けられて、静電容量特性を有するアセンブリ３７を構成している。前記アセンブリ３７と筐体３０とが取付固定される接触面は密接していることで、空気漏れを防止する。筐体３０には空気入口３１と空気出口３３とが設けられている。空気は空気入口３１から流入して、第１の電極３４、ガーゼ絶縁層３５、第２の電極３６の順に流れて、空気出口３３から流出する。前記酸素マイナスイオン発生器は１２Ｖの充電式バッテリ（図示せず）により給電される。該酸素マイナスイオン発生器の動作原理とは、空気が空気入口３１から酸素マイナスイオン発生器の内部に取り込まれると、このうちの酸素と前記第１の電極３４とが接触したときに酸化還元反応が生じて、酸素マイナスイオンが発生し、酸素マイナスイオンは気流に付随して空気出口３３から流出する、というものである。
【００２４】
実施例１
【００２５】
空気湿度が高すぎる時の大気飲料水転換システム装置の動作
【００２６】
駆動モータ１５がインペラ１７の回転を制御することで、空気が筐体孔から筐体１１内部に取り込まれて、つまりフィルタネット１２、繊維布層１３、活性炭ネット層１４の順で空気を処理して、処理後の空気は孔付きプレート１６を通過して更に紫外線殺菌ランプ１９によって殺菌されて、排気プレート１８から浄化後の空気はパイプ００を経て通気ネット２３に排出される。
【００２７】
湿度コントローラ２２が、通気ネット２３中から進入した空気湿度が５５％を超えて、湿度が６５％であることを検出すると、湿度コントローラ２２、吸気ファン２１７、凝縮蒸発器２４、コンプレッサ２２０からなる空気水分抽出システムが動作し始めて、凝縮蒸発器２４は空気の温度を露点の温度にまで下げる。露点の温度における空気の水分は水滴として凝結し抽出され、水滴は凝縮蒸発器から集水トレイ２５に自然滴下して、集水トレイ２５では水を集水タンク２６に集める。集水タンク２６では水位コントローラ２７によって集水タンクに接続されている加圧ポンプ２８が水を加圧するように制御すると、水はろ過システム２９に達して一般的な微小な不純物が取り除かれる。更に逆浸透浄化システム２１０を通じて、吸着、限外ろ過、超純化を経て水中に溶解している大部分の無機塩（重金属を含む）、有機物、細菌及びウイルスを隔離して、水質を超純水に直接転換する。超純水は更にナノ紫外線殺菌消毒器２１１に送られて、再度純化された後に純水タンクに貯留される。純水タンク内蔵水位インジケータ及び底部には飲用中性水バルブ２１６及び電解タンク２１３がそれぞれ接続されることで、使用者は、中性水を吐出させるか、又は電解タンク２１３を通じて、飲用酸性水バルブ２１４、飲用アルカリ性水バルブ２１５から酸性水又はアルカリ性水を吐出させるかを選択する。水製造装置部２の湿度コントローラ２２、吸気ファン２１７、凝縮蒸発器２４、コンプレッサ２２０からなる空気水分抽出システムを経た浄化及び除湿された空気は、酸素マイナスイオン発生器２２６を経た後に排気プレート２２３から排出される。
【００２８】
実施例２
【００２９】
空気湿度が正常又は低すぎる時の大気飲料水転換システム装置の動作
【００３０】
駆動モータ１５がインペラ１７の回転を制御することで、空気が筐体孔から筐体１１内部に取り込まれて、つまりフィルタネット１２、繊維布層１３、活性炭ネット層１４の順で空気を処理して、処理後の空気は孔付きプレート１６を通過して更に紫外線殺菌ランプ１９によって殺菌されて、排気プレート１８から浄化後の空気はパイプ００を経て通気ネット２３に排出される。
【００３１】
湿度コントローラ２２が、通気ネット２３中から進入した空気湿度が３８％未満で、湿度が３５％であることを検出すると、湿度コントローラ２２、吸気ファン２１７、凝縮蒸発器２４、コンプレッサ２２０からなる空気水分抽出システムが水分抽出を動作を停止して、空気の温度調節に変更し、凝縮蒸発器２４が空気の温度を適した温度にまで下げる。
【００３２】
水道水又は飲用基準に満たない水源２２７から大気飲料水転換システム装置中の加圧ポンプ２８を通じて、ろ過システム２９、逆浸透浄化システム２１０及びナノ紫外線殺菌消毒器２１１に接続されて、再度純化された後に純水タンクに貯留される。純水タンク内蔵水位インジケータ及び底部には飲用中性水バルブ２１６及び電解タンク２１３がそれぞれ接続されることで、使用者は、中性水を吐出させるか、又は電解タンク２１３を通じて、飲用酸性水バルブ２１４、飲用アルカリ性水バルブ２１５から酸性水又はアルカリ性水を吐出させるかを選択する。
【００３３】
水製造装置部２の湿度コントローラ２２、吸気ファン２１７、凝縮蒸発器２４、コンプレッサ２２０からなる空気水分抽出システムを経た浄化及び除湿された空気は、酸素マイナスイオン発生器２２６を経た後に排気プレート２２３から排出される。
【図１】
2018528860.tif 000003
【図２】
2018528860.tif 000004
【図３−１】
2018528860.tif 000005
【図３−２】
2018528860.tif 000006
【図３−３】
2018528860.tif 000007
【図４】
2018528860.tif 000008
【図５】
2018528860.tif 000009
【図６】
2018528860.tif 000010
【図７】
2018528860.tif 000011
【図８】
2018528860.tif 000012
【国際調査報告】
2018528860.tif 000013
2018528860.tif 000014
2018528860.tif 000015
2018528860.tif 000016
2018528860.tif 000017
2018528860.tif 000018